(57)【要約】【課題】撮影光学系が小型で、しかもＲ、Ｇ、Ｂの各色光で略同一の光学性能が容易に得られる撮像装置を得ること。【解決手段】複数の撮像領域１２０ａ〜１２０ｃを備えた撮像素子１２０と、複数の撮像領域１２０ａ〜１２０ｃ毎に結像部を設けた撮影光学系１００とを有する撮像装置１０において、撮影光学系１００は、複数の撮像領域１２０ａ〜１２０ｃ毎に、互いに異なる波長域の光束を用いて物体像を結像し、複数の撮像領域１２０ａ〜１２０ｃ毎に設けた結像部はＦナンバーが異なった結像部を含んでいること。【選択図】          図３
2004208212.tif 000002
【特許請求の範囲】
【請求項１】
複数の撮像領域を備えた撮像素子と、該複数の撮像領域毎に複数の結像部を設けた撮影光学系とを有する撮像装置において、該撮影光学系は、該複数の撮像領域毎に、互いに異なる波長域の光束を用いて物体像を結像し、該複数の結像部はＦナンバーが異なった結像部を含んでいることを特徴とする撮像装置。
【発明の詳細な説明】
【０００１】
【発明の属する技術分野】
本発明は、動画、又は、静止画の撮像可能なデジタルカメラやビデオカメラ等の撮像装置に関する。
【０００２】
【従来の技術】
デジタルカラーカメラでは、レリーズボタンの押下に応動して、ＣＣＤセンサやＣＭＯＳセンサなどの固体撮像素子に物体像を所望の時間露光し、これより得られた画像信号をデジタル信号に変換した後、ＹＣ処理などの所定の処理を施して、所定の形式の画像信号を得る。このデジタル画像信号は、半導体メモリに記録される。そして、記録された画像信号を随時読み出して表示または印刷可能な信号に再生し、モニタなどに出力して記録画像を可視化している。
【０００３】
物体像の露光形態としては、
（Ａ）固体撮像素子上に例えば２×２画素を一組としたＲＧＢカラーフィルターを形成して画素の一つ一つに波長選択性を付与し、これによって物体像をＲＧＢの各画像に分離する方式、
（Ｂ）固体撮像素子には波長選択性を持たせず、波長選択性を持たせた光学フィルターを撮影光学系に挿入して、これを時系列的に切り換える方式、
（Ｃ）撮像光学系の後方に色分解光学系を加えて波長域別に異なる撮像素子を用いて画像を取り込む方式、
等が知られている（例えば特許文献１）。
【０００４】
又、ＲＧＢの３色の色成分により分割された撮像領域を有し、装置全体が小型で、しかも高い性能を有した撮像装置が知られている（特許文献２）。
【特許文献１】
特許番号  第２８７０２３４
【特許文献２】
特開２００１−７８２１２号公報
【０００５】
【発明が解決しようとする課題】
従来の露光形態（Ａ）、（Ｂ）、（Ｃ）の何れの方式においても、撮像光学系は各波長域に対して共通に用いられているために、可視域全体に渡って良好な光学性能を持つ必要がある。一般に撮影光学系はその結像原理に光学ガラスや光学用透明樹脂での光の屈折を用いていることから、波長による屈折率の変化が生じるが、これが像性能の低下を招かないように色消し（色収差補正）と呼ばれる光学設計手法を用いている。この結果、高性能な撮影光学系を一枚のレンズで構成することは困難であって、撮像光学系の小型化の障害となっていた。
【０００６】
特許文献２は小型で高性能の撮像装置を達成しているが、Ｒ、Ｇ、Ｂの各色光の像性能に差が生じる場合があった。
本発明は撮影光学系が小型で、しかも各色光で略同一の光学性能が容易に得られる撮像装置の提供を目的とする。
【０００７】
【課題を解決するための手段】
請求項１の発明の撮像装置は、
複数の撮像領域を備えた撮像素子と、該複数の撮像領域毎に複数の結像部を設けた撮影光学系とを有する撮像装置において、該撮影光学系は、該複数の撮像領域毎に、互いに異なる波長域の光束を用いて物体像を結像し、該複数の結像部はＦナンバーが異なった結像部を含んでいることを特徴としている。
【０００８】
【発明の実施の形態】
以下、本発明の実施の形態について図面を用いて詳細に説明する。
【０００９】
図１（Ａ）、（Ｂ）、（Ｃ）は本発明の撮像装置としてのデジタルカラーカメラの全体構成を表わす概略図である。図１（Ａ）は正面図、図１（Ｃ）は裏面図、図１（Ｂ）は図１（Ｃ）の裏面図に示した矢印Ａの位置での断面図である。
【００１０】
図１（Ａ）、（Ｂ）、（Ｃ）において、１はカメラ本体、２はカラー液晶モニタ４の背後に位置し、白色拡散板よりなる照明光取り込み窓である。５はメインスイッチ、６はレリーズ釦、７、８、９は使用者がカメラの状態をセットするためのスイッチで、このうち９は再生ボタンである。１３は撮影可能な残り枚数の表示である。１１はファインダー接眼窓であって、ファインダー前枠３からプリズム１２に入射した物体光がここから射出する。１０は撮像系、１４は外部のコンピュータ等に接続して、データの送受信をするため接続端子である。
【００１１】
図２は本発明の実施形態１の信号処理系のブロック図である。実施形態１の撮像装置（カメラ）はＣＣＤセンサあるいはＣＭＯＳセンサなどの固体撮像素子１２０  を用いた単板式のデジタルカラーカメラであり、固体撮像素子１２０を連続的または単発的に駆動して動画像または静止画像を表わす画像信号を得ている。ここで、固体撮像素子１２０は、露光した光を各画素毎に電気信号に変換してその光量に応じた電荷をそれぞれ蓄積し、その電荷を読み出すタイプの撮像デバイスである。
【００１２】
なお、図２には本発明の撮影装置に直接関係ある部分のみが示されており、本発明に直接関係ない部分は図示とその説明を省略している。
【００１３】
図２に示す撮像装置は、撮像系１０と、画像処理手段である画像処理系２０と、記録再生系３０と、制御系４０とを有する。さらに、撮像系１０は、撮影レンズ（撮影光学系）１００、絞り１１０および固体撮像素子１２０を含む。画像処理系２０は、Ａ／Ｄ変換器５００、ＲＧＢ画像処理回路２１０およびＹＣ処理回路２３０を含む。記録再生系３０は、記録処理回路３００および再生処理回路３１０を含む。制御系４０は、システム制御部４００、操作検出部４１０および固体撮像素子１２０の駆動回路４２０を含む。撮像系１０は、物体（被写体）からの光を絞り１１０と撮影レンズ１００を介して固体撮像素子１２０の撮像面に物体像（被写体）を結像する。このとき撮影レンズ１００の光透過率を調節して、適切な光量の被写体像を固体撮像素子１２０に露光する。前述のように、固体撮像素子１２０は、ＣＣＤやＣＭＯＳセンサなどの撮像デバイスが適用され、固体撮像素子１２０の露光時間および露光間隔を制御することにより、連続した動画像を表わす画像信号、または一回の露光による静止画像を表わす画像信号を得ている。
【００１４】
実施形態１の撮影系１０は、複数の撮像領域を備えた撮像素子１２０と、複数の撮像領域毎にレンズ部を設けた撮影レンズ（撮影光学系）１００とを用い、複数の撮像領域毎に互いに異なる波長域の光束を用いて物体像を結像している。
【００１５】
図３は実施形態１の撮像系１０の詳細図である。絞り１１０は図５に示すような３つの大きさの異なる円形開口１１０ａ、１１０ｂ、１１０ｃを有し、この各々の円形開口１１０ａ、１１０ｂ、１１０ｃから撮影レンズ１００のパワーの弱い光入射面１００ｅに入射した物体光は、撮影レンズ１００の射出側のパワーの強い３つのレンズ部１００ａ、１００ｂ、１００ｃから射出して固体撮像素子１２０の撮像面１２０ａ上の複数（３つ）の領域に３つの物体像を形成する。
【００１６】
これら３つのレンズ部１００ａ〜１００ｃや絞り１１０に設けられた円形開口１１０ａ〜１１０ｃ、そして後述する光学フィルター５２ａ〜５２ｃ、色純度補正フィルタ５４ａ〜５４ｃによって、複数の撮像領域１２０ａ〜１２０ｃ毎に複数の結像部が構成されている。実施形態１の絞り１１０の絞り開口１１０ａ、１１０ｂ、１１０ｃの径は、それぞれ大きさが異なっており、これによって、後述するように各結像部の波動光学的に決まる解像限界が各結像系に所定の波長の光に対して同一（実用上同一と見なすことができる範囲を含む）となるように設定している。
【００１７】
絞り１１０と光入射面１００ｅおよび固体撮像素子１２０の撮像面は平行に配置されている。撮影レンズ１００は入射側の面のパワーを弱く、射出側の面のパワーを強くし、入射側に絞り１１０を設けることで、像面の湾曲を少なくすることができる。なお、ここでは、撮影レンズ１００の光入射面１００ｅを平面若しくはパワーの弱い面としたが、３つの球面あるいは３つの回転対称非球面で構成しても良い。
【００１８】
３つのレンズ部１００ａ、１００ｂ、１００ｃは、撮影レンズ１００を光射出側から見た図７に示すように円径の球面部を持ちハッチングをかけて示した部分が平面部１００ｄとなっている。すなわち、撮影系１０は撮影レンズ１００と絞り１１０を有し、３つのレンズ部１００ａ、１００ｂ、１００ｃのそれぞれが結像部を構成している。そして各レンズ部に対応して３つの撮像領域を有している。このうち第一の撮像領域は撮像領域１２０ａ、第二の撮像領域は撮像領域１２０ｂ又は撮像領域１２０ｃが対応する。また、第一の結像部はレンズ部１００ａ、第二の結像部はレンズ部１００ｂ又はレンズ部１００ｃが対応する。さらに、第一の物体像はイメージサークル５１ａの内部に形成される物体像、第二の物体像はイメージサークル５１ｂ又はイメージサークル５１ｃの内部に形成される物体像が対応する。また、第一の画像信号はＧ（緑色）画像信号、第二の画像信号はＲ（赤色）画像信号又はＢ（青色）画像信号が対応する。
【００１９】
３つ（複数）の撮像領域毎１２０ａ、１２０ｂ、１２０ｃに設けられたレンズ部１００ａ、１００ｂ、１００ｃ等によって構成される複数の結像部は、絞り開口１１０ａ、１１０ｂ、１１０ｃの径を異ならせることで、各結像部のＦナンバーを異ならせている。
【００２０】
撮影レンズ１００をガラス製とする場合にはガラスモールド製法、樹脂製とする場合には射出成形を用いると製作上容易である。
【００２１】
図４は固体撮像素子１２０の正面図で、レンズ部１００ａ、１００ｂ、１００ｃで形成される３つの物体像に対応させて３つの撮像領域１２０ａ、１２０ｂ、１２０ｃを備えている。図４において、５１ａ、５１ｂ、５１ｃは内部に物体像が形成されるイメージサークルである。イメージサークル５１ａ、５１ｂ、５１ｃは絞り１１０の開口１１０ａ、１１０ｂ、１１０ｃと撮影レンズ１００の射出側の球面部の大きさで決定される円形であり、イメージサークル５１ａと５１ｂ、および、イメージサークル５１ｂと５１ｃには互いに重なり合う部分が生じる。
【００２２】
図３において、絞り１１０と撮影レンズ１００に挟まれた領域のハッチングで示した部分５２ａ、５２ｂ、５２ｃは撮影レンズ１００の光入射面１００ｅ上に形成された光学フィルター（カラーフィルター）である。光学フィルター５２ａ、５２ｂ、５２ｃは撮影レンズ１００を光入射側から見た図６で示すように、絞り開口１１０ａ、１１０ｂ、１１０ｃを完全に含む範囲に形成されている。
【００２３】
光学フィルター５２ａは図８に曲線Ｇで示した主に緑色を透過する分光透過率特性を有し、光学フィルター５２ｂは曲線Ｒで示した主に赤色を透過する分光透過率特性を有し、さらに、光学フィルター５２ｃは曲線Ｂで示した主に青色を透過する分光透過率特性を有している。すなわち、これらは原色フィルターである。レンズ部１００ａ、１００ｂ、１００ｃに形成されている赤外線カットフィルターの特性との積として、イメージサークル５１ａに形成されている物体像は緑色光成分、イメージサークル５１ｂに形成されている物体像は赤色光成分、イメージサークル５１ｃに形成されている物体像は青色光成分によるものとなる。
【００２４】
複数の撮像領域１２０ａ、１２０ｂ、１２０ｃ毎に設けたカラーフィルター５２ａ、５２ｂ、５２ｃを各々透過する光束の波長域の中心波長のうち、長い方の波長λＬ、短い方の波長をλＳ、波長λＬの光束が入射する結像部のＦナンバーをＦＬ、波長λＳの光束が入射する結像部のＦナンバーをＦＳとするとき、
ＦＬ＜ＦＳ
を満足している。
【００２５】
又は、波長λＬの光束が入射する結像部に設けた絞りの絞り開口径をＤＬ、波長λＳの光束が入射する結像部に設けた絞りの絞り開口径をＤＳとするとき、
ＤＳ＜ＤＬ
を満足している。
【００２６】
実施形態１では絞り１１０の開口１１０ａ、１１０ｂ、１１０ｃの径が各撮像領域１２０ａ、１２０ｂ、１２０ｃ毎にそれぞれ異なるためセンサーの分光感度を含めて各撮像領域での信号レベルが同一の蓄積時間でそれぞれ適切になるように、光学フィルター５２ａ、５２ｂ、５２ｃあるいは光学フィルター５３ａ、５３ｂ、５３ｃの透過率を設定しても良い。
【００２７】
なお、光学フィルター５２ａ、５２ｂ、５２ｃと、光学フィルター５３ａ、５３ｂ、５３ｃの分光透過率特性は、図８に示したように、ＲとＢはほぼ分離されているものの、ＲとＧおよびＧとＢは互いにオーバーラップしている。
【００２８】
したがって、赤色光のイメージサークル５１ｂが青色光を光電変換する撮像領域１２０ｃにかかっていても、逆に、青色光のイメージサークル５１ｃが赤色光を光電変換する撮像領域１２０ｂにかかっていても、これらの画像が撮像領域の出力となることはない。ところが、赤色光のイメージサークル５１ｂが緑色光を光電変換する撮像領域１２０ａにかかっている部分と、緑色光のイメージサークル５１ａが赤色光を光電変換する撮像領域１２０ｂにかかっている部分では、本来遮断すべき異なる波長の画像が僅かではあるが重畳してしまう。つまり物体像の選択性は光学フィルター５２ａと光学フィルター５３ｂの分光透過率特性の積と、光学フィルター５２ｂと光学フィルター５３ａの分光透過率特性の積で与えられるため、Ｒ画像信号とＧ画像信号のクロストークは小さいものの、完全にはゼロにならない。
【００２９】
そこで、実施形態１では撮影レンズ１００中に、ＲとＧのオーバーラップ部の波長域の透過率を低下させる特性を持った色純度補正フィルタ５４ａ〜５４ｃを設けている。
【００３０】
この色純度補正フィルタ５４ａ〜５４ｃは、透明合成樹脂またはガラスから成る母材中に希土類の金属イオンを所定量含有させた光学フィルターである。
【００３１】
希土類の金属イオンとしては、ネオジムイオン、プラセオジムイオン、エルビウムイオン、ホルミウムイオン等の１種または２種以上が挙げられるが、少なくとも、ネオジムイオンを必須イオンとして使用するのが好ましい。なお、これらのイオンとしては、通常３価のイオンが使用される。そして、金属イオンの含有量は、撮影レンズ１００の母材の１００質量部に対し、通常０．０１〜４０質量部、好ましくは０．０４〜３０質量部の範囲から選択される。このようなフィルタを用いることによって、赤色光のイメージサークル５１ｂが緑色光を光電変換する撮像領域１２０ａにかかることそれから、緑色光のイメージサークル５１ａが赤色光を光電変換する撮像領域１２０ｂにかかることによるクロストークはほとんど生じないようにしている。
【００３２】
画像処理系２０は、固体撮像素子１２０の複数の撮像領域１２０ａ、１２０ｂ、１２０ｃが、各々、前記複数の画像の一つから得た選択的な光電変換出力に基づいてカラー画像を形成する。この際、比視感度のピーク波長は５５５ｎｍであるので、この波長を含むＧ画像信号を基準画像信号として信号処理を行う。
【００３３】
次に各色光の画像を得る各結像部のＦナンバーを異なるものとすること又は各結像部に設ける絞り１１０の開口１１０ａ、１１０ｂ、１１０ｃの絞り径を異なるものにすることの効果について説明する。
【００３４】
小型で高性能な撮像素子の開発により撮像素子の持つ１画素の大きさは近年では２〜４μｍにまで高精細化が進んでいる。それに伴いそこに備える結像光学系（撮影レンズ）にも高い分解能が要求されている。結像光学系の能力を示す指標としては空間周波数のＭＴＦと呼ばれるレスポンス関数で示すのが一般的である。横軸に空間周波数すなわち単位長さあたりに存在する線数（本／ｍｍ）をとり、縦軸にその空間周波数におけるＭＴＦの数値すなわち像の再現性を数値化したものを取る（図９参照）。ＭＴＦの数値が高いものがその空間周波数で優れた結像性能を有することになる。図９は一般的な光学系すなわち同一の絞り径、言い換えれば同一のＦ値を有する光学系のＭＴＦを示すグラフである。図９のグラフでは横軸に空間周波数、縦軸にＭＴＦがとられている。図９に示すように空間周波数が高くなるに従ってＭＴＦの数値が減少してゆき最後には０となる。図中曲線Ｒ、Ｇ、Ｂで示す波長（波長領域）の違いにより０となる空間周波数は異なり幾何的な光学収差が小さな光学系では波長によるＭＴＦの大小関係は全空間周波数域に渡って同じになっている。ＭＴＦが０となる空間周波数は回折限界と呼ばれ回折限界は波長によって異なる。回折限界となる空間周波数ｆはレーレーの研究により
ｆ＝１／（１．２２ｘλｘＦｎｏ）・・（１）
となることが知られている。回折限界を超えるＭＴＦは通常の絞りでは原理的に得られない。同一径の開口絞りでは図９のごとく波長により異なる解像限界となるのである。実施形態１では図５のように透過する波長により絞り開口１１０ａ、１１０ｂ、１１０ｃの開口径の大きさが異なること又は各レンズ部毎にＦナンバーが異なることにより各波長においてＭＴＦを略同一となるレベルに合わせることができ、それにより良好な像性能を確保している。
【００３５】
具体的には、複数の撮像領域１２０ａ、１２０ｂ、１２０ｃ毎に設けたカラーフィルター５２ａ、５２ｂ、５２ｃを各々透過する光束の波長域の中心波長のうち長い方から順にλＲ、λＧ、λＢとし、波長λＲ、波長λＧ、波長λＢの光束が入射する結像部のＦナンバーを順にＦＲ、ＦＧ、ＦＢとするとき、
ＦＲ＜ＦＧ＜ＦＢ
としている。又は波長λＲ、波長λＧ、波長λＢの光束が入射する結像部に設けた絞りの絞り開口径を順にＤＲ、ＤＧ、ＤＢとするとき、
ＤＢ＜ＤＧ＜ＤＲ
を満足するようにしている。
【００３６】
以上のように構成することによって図１０で示すようにＲＧＢ三色のフィルターに対応する光学系の光学性能（ＭＴＦ）を略同一のものとしている。このように各色光により絞りの径又はＦナンバーを異なるものとして性能の向上を行うのは実施形態１のように単レンズなど単純な光学系を採用する撮像装置に特に有効である。
【００３７】
複数の光学エレメントを採用し十分に幾何光学収差を補正しつつＦナンバーＦｎｏを小さくすなわち絞りの径を大きくすることの出来る光学系では（１）式で示される回折限界が十分に高い物になり波長差による影響を無視することができる。実施形態１は要求される高い解像度を限られた光学エレメントにより実現するための有効な解決手段である。
【００３８】
限られた光学エレメントにより結像性能を向上させるため一般には幾何光学的に光束を細く絞り大きなＦナンバーＦｎｏとすることで幾何光学収差の影響を抑えて画像の解像度を向上させている。しかし使用する空間周波数が高くなると実際には（１）式で与えられる回折限界からその解像度は波動光学的に制限されたものとなる。逆にＦナンバーＦｎｏを小さくすると理論的な解像限界は上がるものの光線収差により解像度の向上に限界がある。従って両者のＭＴＦが略同一となり折り合うポイントの絞り径が最も高い解像度性能を有することになる。それは波長によって異なるものになり、同一の絞り径を有する光学系では理想の形態を実現するのが難しい。波長により絞り径を変えると有限の光学エレメントを有する結像光学系の持つポテンシャルを回折限界にちかい領域で利用する上で有効なものとなる。
【００３９】
尚、絞り径の開口が円形でないとき、（例えば多角形）のときは、多角形の面積を円形とした時の面積に換算し、その直径を用いればよい。
【００４０】
［実施態様１］
複数の撮像領域を備えた撮像素子と、該複数の撮像領域毎に複数の結像部を設けた撮影光学系とを有する撮像装置において、該撮影光学系は、該複数の撮像領域毎に、互いに異なる波長域の光束を用いて物体像を結像し、該複数の結像部はＦナンバーが異なった結像部を含んでいることを特徴とする撮像装置。
【００４１】
［実施態様２］
複数の撮像領域を備えた撮像素子と、該複数の撮像領域毎に結像部を設けた撮影光学系とを有する撮像装置において、該撮影光学系は、該複数の撮像領域毎に、互いに異なる波長域の光束を用いて物体像を結像し、該複数の撮像領域毎に設けた結像部はそれぞれ絞りを有し、該複数の結像部がそれぞれ有する絞りは、絞り開口径が異なった絞りを含んでいることを特徴とする撮像装置。
【００４２】
［実施態様３］
前記複数の撮像領域毎に設けた結像部には、互いに異なった波長選択性のカラーフィルターが設けられていることを特徴とする実施態様１又は２の撮像装置。
【００４３】
［実施態様４］
前記複数の撮像領域毎に設けたカラーフィルターを各々透過する光束の波長域の中心波長のうち、長い方の波長λＬ、短い方の波長をλＳ、波長λＬの光束が入射する前記結像部のＦナンバーをＦＬ、波長λＳの光束が入射する前記結像部のＦナンバーをＦＳとするとき、
ＦＬ＜ＦＳ
を満足することを特徴とする実施態様１又は３の撮像装置。
【００４４】
［実施態様５］
前記複数の撮像領域毎に設けたカラーフィルターを各々透過する光束の波長域の中心波長のうち長い方から順にλＲ、λＧ、λＢとし、波長λＲ、波長λＧ、波長λＢの光束が入射する前記結像部のＦナンバーを順にＦＲ、ＦＧ、ＦＢとするとき、
ＦＲ＜ＦＧ＜ＦＢ
を満足することを特徴とする実施態様１又は３の撮像装置。
【００４５】
［実施態様６］
前記複数の撮像領域毎に設けたカラーフィルターを各々透過する光束の波長域の中心波長のうち、長い方の波長λＬ、短い方の波長をλＳ、波長λＬの光束が入射する前記結像部に設けた絞りの絞り開口径をＤＬ、波長λＳの光束が入射する前記結像部に設けた絞りの絞り開口径をＤＳとするとき、
ＤＳ＜ＤＬ
を満足することを特徴とする実施態様２又は３の撮像装置。
【００４６】
［実施態様７］
前記複数の撮像領域毎に設けたカラーフィルターを各々透過する光束の波長域の中心波長のうち長い方から順にλＲ、λＧ、λＢとし、波長λＲ、波長λＧ、波長λＢの光束が入射する前記結像部に設けた絞りの絞り開口径を順にＤＲ、ＤＧ、ＤＢとするとき、
ＤＢ＜ＤＧ＜ＤＲ
を満足することを特徴とする実施態様２又は３の撮像装置。
【００４７】
【発明の効果】
本発明によれば、小型で、各色光で略同一の光学性能が容易に得られる撮像装置を達成することができる。
【図面の簡単な説明】
【図１】本発明の撮像装置の要部概略図
【図２】本発明の撮像装置の実施形態１の信号処理系を含むブロック図
【図３】本発明の実施形態１に係るデジタルカラーカメラの撮像系の断面図
【図４】図１の撮像系の固体撮像素子の正面図
【図５】図１の撮像系の絞りの平面図
【図６】図１の撮像系の光学フィルターの形成範囲を表す図
【図７】図１の撮像系の撮影レンズを光射出側から見た図
【図８】図１の撮像系の光学フィルターの分光透過率特性を表す図
【図９】図１の撮像系を同一の絞り径としたときのＭＴＦの説明図
【図１０】図１の撮像系に異なる絞り径を適用したときのＭＴＦの説明図
【符号の説明】
１０    撮像系
５１ａ、５１ｂ、５１ｃ    イメージサークル
５２ａ、５２ｂ、５２ｃ    撮影レンズ上に形成された光学フィルター
５３ａ、５３ｂ、５３ｃ    固体撮像素子上に形成された光学フィルター
５４ａ、５４ｂ、５４ｃ    透過率分布型フィルター
１００    撮影レンズ
１００ａ、１００ｂ、１００ｃ    撮影レンズのレンズ部
１１０    絞り
１１０ａ、１１０ｂ、１１０ｃ    絞り開口
１２０    固体撮像素子
【図１】
2004208212.tif 000003
【図２】
2004208212.tif 000004
【図３】
2004208212.tif 000005
【図４】
2004208212.tif 000006
【図５】
2004208212.tif 000007
【図６】
2004208212.tif 000008
【図７】
2004208212.tif 000009
【図８】
2004208212.tif 000010
【図９】
2004208212.tif 000011
【図１０】
2004208212.tif 000012